(57)【要約】  【課題】  レンズを通らない迷光が光電変換部の内部で反射して光電変換素子に侵入するのを防止するため、光ノイズによる影響を低減して良好な画像を得ることができる画像読取ユニット、画像読取装置、および画像形成装置を提供する。  【解決手段】  原稿を露光し、原稿からの反射光をレンズ２３を介してＣＣＤ２１の内部に配設された光電変換素子２４に結像させて画像を読み取る画像読取ユニットであって、ＣＣＤ２１は、迷光がＣＣＤ２１の内部で反射して光電変換素子２４に侵入するのを防止する遮光手段を備え、遮光手段は、光電変換素子２４に対してレンズ２３側であって、レンズ２３から光電変換素子２４へ向かう光路の上方および下方に傾斜遮光体２５を有する。【選択図】  図５
2006303589.tif 000002
【特許請求の範囲】
【請求項１】
原稿を露光し、前記原稿からの反射光をレンズを介して光電変換部の内部に配設された光電変換素子に結像させて画像を読み取る画像読取ユニットであって、
前記光電変換部は、迷光が前記光電変換部の内部で反射して前記光電変換素子に侵入するのを防止する遮光手段を有することを特徴とする画像読取ユニット。
【請求項２】
前記遮光手段は、前記光電変換素子に対してレンズ側であって、前記レンズから前記光電変換素子へ向かう光路の上方および下方に遮光体を有することを特徴とする請求項１に記載の画像読取ユニット。
【請求項３】
前記遮光体は、前記レンズから前記光電変換素子へ向かうに従って前記光路から離間する方向に傾斜していることを特徴とする請求項２に記載の画像読取ユニット。
【請求項４】
前記遮光体は、前記レンズから前記光電変換素子へ向かうに従って前記光路から離間する方向に傾斜した複数の遮光部材を有し、
前記複数の遮光部材は、互いに間隔を設けて配置されていることを特徴とする請求項２に記載の画像読取ユニット。
【請求項５】
前記遮光体は、蛇腹状の形状を有することを特徴とする請求項２に記載の画像読取ユニット。
【請求項６】
前記遮光体は、植毛状の遮光部材を有し、
前記遮光部材は、毛の先端が前記光路側を向くように配置されていることを特徴とする請求項２に記載の画像読取ユニット。
【請求項７】
請求項１乃至請求項６の何れかに記載の画像読取ユニットを搭載したことを特徴とする画像読取装置。
【請求項８】
請求項７に記載された画像読取装置を搭載するとともに、記録媒体に画像を形成する画像形成手段を備えたことを特徴とする画像形成装置。
【発明の詳細な説明】
【技術分野】
【０００１】
本発明は、複写機、ファクシミリ、スキャナ等に適用され、コンタクトガラス上に載置された原稿を読み取る画像読取ユニット、これを搭載した画像読取装置および画像形成装置に関する。
【背景技術】
【０００２】
従来の画像読取ユニットとしては、図９に示すように、ＣＣＤ（Ｃｈａｒｇｅ  Ｃｏｕｐｌｅｄ  Ｄｅｖｉｃｅ）５１の内部に光電変換素子５４が配設されており、ＣＣＤ５１の入射光側はカバーガラス５２によって密閉するよう構成され、ごみ粉塵がＣＣＤ５１の内部へ侵入するのを防止することにより、良好な画像を得るものが知られている。
【０００３】
この画像読取ユニットにおいては、レンズ５３を通る画像結像光だけでなく、レンズ５３を通らない迷光が光電変換素子５４に侵入するため、光ノイズとして読取画像の劣化、Ｓ/Ｎ比の低下、ＭＴＦ（Ｍｏｄｕｌａｔｉｏｎ  Ｔｒａｎｓｆｅｒ  Ｆｕｎｃｔｉｏｎ）劣化、色再現性の劣化等の不具合が発生していた。
【０００４】
そこで、このような不具合を解消する画像読取ユニットとしては、図１０に示すように、カバーガラス６２の一部をマスクで覆うことにより、レンズ６３を通らない迷光が光電変換素子６４に直接侵入するのを防止するものが知られている（例えば、特許文献１参照）。
【特許文献１】特許３５８６７０１号公報
【発明の開示】
【発明が解決しようとする課題】
【０００５】
しかしながら、従来の画像読取ユニットにおいては、レンズ６３を通らない迷光が、光電変換素子６４に直接侵入するのを防止することはできるが、ＣＣＤ６１の内部で反射して光電変換素子６４に侵入するのを防止することができないため、良好な画像を得ることができないという問題があった。
【０００６】
また、ＣＣＤの画素の大きさは、技術の進歩と共に、１０μｍ、７μｍ、４．７μｍと小さくなってきている。それに伴ってＣＣＤに照射される光の量も減少しているため、光電変換素子に侵入する迷光の光量がわずかであっても、有効な画像結像光に対するノイズ光の割合が高くなり、さらに、白黒ＣＣＤに対してカラー３ラインＣＣＤでは、ノイズ光のわずかな変化に敏感に反応してＲＧＢバランスを崩すため、読取画像の劣化、Ｓ/Ｎ比の低下、ＭＴＦ劣化、色再現性の劣化等を発生させることになる。
【０００７】
本発明は、このような問題を解決するためになされたもので、レンズを通らない迷光がＣＣＤの内部で反射して光電変換素子に侵入するのを防止するため、光ノイズによる影響を低減して良好な画像を得ることができる画像読取ユニット、画像読取装置、および画像形成装置を提供することを目的とする。
【課題を解決するための手段】
【０００８】
本発明の画像読取ユニットは、原稿を露光し、前記原稿からの反射光をレンズを介して光電変換部の内部に配設された光電変換素子に結像させて画像を読み取る画像読取ユニットであって、前記光電変換部は、迷光が前記光電変換部の内部で反射して前記光電変換素子に侵入するのを防止する遮光手段を有している。
【０００９】
この構成により、レンズを通らない迷光が光電変換部の内部で反射して光電変換素子に侵入するのを防止するため、光ノイズによる影響を低減して良好な画像を得ることができる。
【００１０】
また、本発明の画像読取ユニットは、前記遮光手段が、前記光電変換素子に対してレンズ側であって、前記レンズから前記光電変換素子へ向かう光路の上方および下方に遮光体を有している。
【００１１】
この構成により、レンズを通らない迷光が光電変換部の内部で反射して光電変換素子に侵入するのを防止するため、光ノイズによる影響を低減して良好な画像を得ることができる。
【００１２】
また、本発明の画像読取ユニットは、前記遮光体が、前記レンズから前記光電変換素子へ向かうに従って前記光路から離間する方向に傾斜している構成を有している。
【００１３】
この構成により、レンズを通らない迷光が光電変換部の内部に侵入した場合であっても、光電変換部の内部で反射した迷光は、遮光体で最終的に遮られることにより光電変換素子に達することができない。このため、光ノイズによる影響を低減して良好な画像を得ることができる。
【００１４】
また、本発明の画像読取ユニットは、前記遮光体が、前記レンズから前記光電変換素子へ向かうに従って前記光路から離間する方向に傾斜した複数の遮光部材を有し、前記複数の遮光部材は、互いに間隔を設けて配置されている構成を有している。
【００１５】
この構成により、レンズを通らない迷光が光電変換部の内部に侵入した場合であっても、光電変換部の内部で反射した迷光は、遮光部材で最終的に遮られることにより光電変換素子に達することができない。このため、光ノイズによる影響を低減して良好な画像を得ることができる。
【００１６】
また、本発明の画像読取ユニットは、前記遮光体が、蛇腹状の形状を有している。
【００１７】
この構成により、レンズを通らない迷光が光電変換部の内部に侵入した場合であっても、その迷光は、遮光体の表面で反射されることにより光電変換素子に達することができない。このため、光ノイズによる影響を低減して良好な画像を得ることができる。
【００１８】
また、本発明の画像読取ユニットは、前記遮光体は、植毛状の遮光部材を有し、前記遮光部材が、毛の先端が前記光路側を向くように配置されている構成を有している。
【００１９】
この構成により、レンズを通らない迷光が光電変換部の内部に侵入した場合であっても、その迷光は、遮光部材の表面で反射されることにより光電変換素子に達することができない。このため、光ノイズによる影響を低減して良好な画像を得ることができる。
【００２０】
本発明の画像読取装置は、前記画像読取ユニットを搭載するようになっていてもよい。
【００２１】
本発明の画像形成装置は、前記画像読取装置を搭載するとともに、記録媒体に画像を形成する画像形成手段を備えるようになっていてもよい。
【発明の効果】
【００２２】
以上のように本発明は、レンズを通らない迷光が光電変換部の内部で反射して光電変換素子に侵入するのを防止するため、光ノイズによる影響を低減して良好な画像を得ることができるという効果を有する画像読取ユニット、画像読取装置、および画像形成装置を提供するものである。
【発明を実施するための最良の形態】
【００２３】
以下、本発明の実施形態に係る画像形成装置について、図面を参照して説明する。
（第１の実施の形態）
図１〜５は、本発明の第１の実施形態に係る画像形成装置を示す概略構成図であり、本実施形態では画像形成装置として複写機に適用した例を示している。
【００２４】
複写機１００は、図１に示すように、画像形成部２００、給紙部３００、画像読取部４００、および原稿給紙部５００を有して構成されている。
【００２５】
画像形成部２００は、画像読取部４００で読み取られた画像の色分解された情報に基づいて複数の感光体に色分けして画像形成し、給紙部３００から搬送される転写用紙に画像を重ね転写してフルカラーのハードコピーを作成するようになっている。
【００２６】
給紙部３００は、転写用紙を画像形成部２００に搬送するようになっている。
【００２７】
画像読取部４００は、第１キャリッジ５および第２キャリッジ６を所定の速度で副走査させ、レンズユニット７によって原稿像をＣＣＤ２１に取り込むようになっている。
【００２８】
原稿給紙部５００は、自動もしくは手動によって原稿を画像読取部４００の直上に送り込むようになっている。
【００２９】
なお、本発明における画像読取ユニットは、画像読取部４００によって構成される。また、本発明における画像読取装置は、画像読取部４００および原稿給紙部５００によって構成される。
【００３０】
次に、画像読取部４００について説明する。
【００３１】
画像読取部４００は、図２に示すように、装置の筐体である本体フレーム１の中に、図示しない第１レールと第２レール８とを有し、第１レールには第１キャリッジ５が、第２レール８には第２キャリッジ６がそれぞれ摺動可能に構成されている。また、図示しない駆動モータに連結された駆動軸２には、ワイヤ駆動プーリ４が取り付けられており、そのワイヤ駆動プーリ４には駆動ワイヤ３が巻装されている。ここで、駆動ワイヤ３は、第１キャリッジ５用と第２キャリッジ６用の２本が用いられるが、図２においては、第２キャリッジ６用の駆動ワイヤ３の１本を代表して表示する。また、駆動ワイヤ３は、第２キャリッジ６に取り付けられたキャリッジプーリや本体フレーム１の端近くに設けられたアイドラプーリを経由する構成になっているが、図２においては、キャリッジプーリおよびアイドラプーリの図示を省略する。
【００３２】
第１キャリッジ５には、光源としての管状ランプ５ａが配置されており、ワイヤ駆動プーリ４と第２キャリッジ６との間に配置されている。
【００３３】
また、第１キャリッジ５は、駆動ワイヤ３に引かれて所定の速度ｖで移動すると、管状ランプ５ａ直上の図示しない画像読取領域を構成するコンタクトガラスの平面上に載置された原稿を副走査するようになっている。原稿からの反射光束は、図示しない第１ミラーによって、所定の方向、すなわち、第２キャリッジ６に向けて反射される。次に、反射光束は、第２キャリッジ６の第２ミラー６ａと図示しない第３ミラーによって折り返し、レンズユニット７に入射される。そして、反射光束は、レンズユニット７に含まれるレンズによって、焦点面におかれた図示しないＣＣＤ上に集光結像される。これにより、ＣＣＤは、管状ランプ５ａに沿った原稿上の線状部分を主走査する。
【００３４】
第２キャリッジ６は、第２ミラー６ａおよび第３ミラーによる光束の折り返しに伴う光路の重複分を相殺するため、第１キャリッジ５の半分の速度、すなわちｖ／２の速度で第１キャリッジ５と同方向に移動するようになっている。この移動速度の関係により、第１キャリッジ５および第２キャリッジ６の移動があっても、原稿面からレンズユニット７までの光束の光路長が変化しない。
【００３５】
また、第２キャリッジ６は、第１キャリッジ５に比べて走行範囲が半分であるため、第２レール８のうちワイヤ駆動プーリ４に近い側のほぼ半分は、第２キャリッジ６の走行に利用されない。しかし、第２レール８のうち利用されない部分を切り捨てると、第２レール８の平行度等に悪影響を与えるため、その部分を切り捨てない代わりに、ワイヤ駆動プーリ４の駆動軸２がその部分に配置されている。そして、第２レール８に駆動軸２が配置されている部分については、第２レール８の形状を変化させることにより、駆動軸２の回転に支障を来さないようになっている。
【００３６】
駆動軸２の上端の位置は、少なくとも第２レール８のレール面より下側にならないように配置されている。これにより、ワイヤ駆動プーリ４を原稿面側に近づけることができるため、画像読取装置の小型化に寄与することができる。
【００３７】
レンズユニット７は、第１キャリッジ５がその上を走行できるよう配置されているが、原稿からの反射光束を受ける関係で第２キャリッジ６の走行領域より副走査方向の外側に配置されている。
【００３８】
次に、第２キャリッジ６用の駆動ワイヤ３とプーリの関係について説明する。
【００３９】
駆動ワイヤ３は、図３（ａ）および図３（ｂ）に示すように、ワイヤ駆動プーリ４に巻き付けられており、軸が本体フレーム１に固定されたアイドラプーリ１１およびアイドラプーリ１２へ延びる２つの系統がある。アイドラプーリ１１へ延びる駆動ワイヤ３の部分３ａは、アイドラプーリ１１によって折り返されて部分３ｂとなり、外側キャリッジプーリ１０ｂに至り、再びここで折り返されて部分３ｃとなって本体フレーム１に端部が固定される。また、アイドラプーリ１２へ延びる駆動ワイヤ３の部分３ｄは、アイドラプーリ１２によって折り返されて部分３ｅとなり、内側キャリッジプーリ１０ａに至り、再びここで折り返されて部分３ｆとなって張力付与用の張力スプリング９を介して装置本体に固定される。
【００４０】
ここで、キャリッジプーリ１０は、ワイヤ駆動プーリ４の回転によって第２キャリッジ６と共に第２レール８に沿って移動するので、第２キャリッジ６の移動における等速性を保証するため、キャリッジプーリ１０に直接関与する部分３ｂと部分３ｃは、第２レール８に対して平行になるよう配置される。また、同様な理由により、部分３ｅと部分３ｆも第２レール８に対して平行になるよう配置される。これに対して、ワイヤ駆動プーリ４とアイドラプーリ１１の間、およびワイヤ駆動プーリ４とアイドラプーリ１２の間は、それぞれの位置の移動が無いため、部分３ａ、部分３ｄは、第２レール８に対して平行に配置される必要はない。
【００４１】
また、内側キャリッジプーリ１０ａと外側キャリッジプーリ１０ｂは同心で一体に形成された２重溝プーリとなっている。
【００４２】
また、アイドラプーリ１１、１２、およびキャリッジプーリ１０は、それらの軸を傾斜して装置本体に取り付けられている。ただし、アイドラプーリ１１、１２と、キャリッジプーリ１０の傾斜方向は互いに逆方向になっている。すなわち、図３（ｂ）に示すように、アイドラプーリ１１、１２、およびキャリッジプーリ１０は、アイドラプーリ１１および１２の軸がキャリッジプーリ１０の軸と接触せずに斜交するように配置されている。これにより、駆動ワイヤ３の部分３ａが、ワイヤ駆動プーリ４の回転に伴って、巻き付け開始位置が軸方向に僅かに移動し、部分３ａが第２キャリッジ６に接触してしまうことを防止することができる。さらに、画像読取装置の小型化にも寄与することができる。
【００４３】
次に、各プーリの位置関係について説明する。
【００４４】
駆動ベルトプーリ１４は、図４に示すように、水平に配置された駆動モータ１３の出力軸１３ａに固定されている。駆動ベルト１５は、駆動ベルトプーリ１４と従動ベルトプーリ１６との間に掛け渡されている。従動ベルトプーリ１６は、ワイヤ駆動プーリ４と共に駆動軸２に同軸固定されている。駆動モータ１３の任意方向の回転に伴って、ワイヤ駆動プーリ４は、対応する方向に回転し、駆動ワイヤ３は、駆動軸２に直交する方向に移動する。
【００４５】
ワイヤ駆動プーリ４の駆動軸２は水平に配置されているが、アイドラプーリ１１は矢印Ａで示すように、従動ベルトプーリ１６側が低くなるように配置されている。これに対し、キャリッジプーリ１０は矢印Ｂで示すように、従動ベルトプーリ１６側の反対側が低くなるように配置されている。なお、それぞれのプーリは、それらの中心位置が、駆動軸２の方向に沿って、従動ベルトプーリ１６からワイヤ駆動プーリ４へ向かう方向にワイヤ駆動プーリ４、アイドラプーリ１１、キャリッジプーリ１０の順となるように配置されている。
【００４６】
また、ワイヤ駆動プーリ４は、その上端の位置が、アイドラプーリ１１の下端より上になるように配置されている。これにより、装置全体を低く構成することができるため、画像読取装置の小型化に寄与することができる。また、ワイヤ駆動プーリ４は、その上端の位置が、アイドラプーリ１１の上端よりは下になるように配置されている。これにより、駆動ワイヤ３の部分３ｂとワイヤ駆動プーリ４が干渉しないようにすることができる。また、これらの関係はワイヤ駆動プーリ４とアイドラプーリ１２についても同様である。
【００４７】
駆動ワイヤ３は、ワイヤ駆動プーリ４とアイドラプーリ１１との間に掛け渡される場合に、駆動ワイヤ３がワイヤ駆動プーリ４のほぼ接線上にあり、その延長上にアイドラプーリ１１の巻き付き開始位置が存在するように配置されている。実際には、ワイヤ駆動プーリ４に対する駆動ワイヤ３の巻き付き開始位置は、駆動軸２の方向に若干移動する。したがって、ここでは、アイドラプーリ１１の巻き付き開始位置は、ワイヤ駆動プーリ４に対する駆動ワイヤ３の巻き付き開始位置を平均的な位置としたときの位置とする。
【００４８】
また、駆動ワイヤ３は、アイドラプーリ１１とキャリッジプーリ１０の間に掛け渡される場合には、駆動ワイヤ３がアイドラプーリ１１とキャリッジプーリ１０の接線上に位置するように配置されている。すなわち、駆動ワイヤ３は、キャリッジプーリ１０とアイドラプーリ１１の共通外接線に一致している。したがって、キャリッジプーリ１０およびアイドラプーリ１１に対する巻き付き開始位置は、図４において同一点に重なっている。なお、ワイヤ駆動プーリ４、キャリッジプーリ１０の他の部分の駆動ワイヤ３は省略してある。また、これらの関係はアイドラプーリ１２とキャリッジプーリ１０についても同様である。これにより、駆動ワイヤ３の重なりが少ないので、駆動ワイヤ３の巻き付け作業が容易になる。さらに、駆動ワイヤ３には無理な力がかかることなく、安定した駆動力を伝達することができる。
【００４９】
次に、ＣＣＤ２１の内部構造について説明する。
【００５０】
図５に示すように、ＣＣＤ２１の内部には、４．７μｍピッチの３ラインカラー画像読取用の光電変換素子２４が配設されており、レンズユニット７に含まれるレンズ２３を通過した画像結像光を光電変換するようになっている。また、ＣＣＤ２１の入射光側はカバーガラス２２によって密閉するよう構成されている。
【００５１】
また、傾斜遮光体２５は、図５に示すように、光電変換素子２４に対してレンズ２３側であって、レンズ２３から光電変換素子２４へ向かう光路の上方および下方に配設されるようになっている。さらに、傾斜遮光体２５は、レンズ２３から光電変換素子２４へ向かうに従って光路から離間する方向に傾斜した構成となっている。
【００５２】
この構成により、レンズ２３を通らない迷光がＣＣＤ２１の内部に侵入した場合であっても、ＣＣＤ２１の内部で反射した迷光は、傾斜遮光体２５で最終的に遮られることにより光電変換素子２４に達することができない。このため、光ノイズによる影響を低減して良好な画像を得ることができる。
【００５３】
なお、傾斜遮光体２５は、レンズを通らない迷光が光電変換素子２４に直接侵入するのを防止することができるよう、ＣＣＤ２１、レンズ２３、光電変換素子２４等の位置関係に基づいて位置決めされている。
【００５４】
また、本実施の形態においては、複写機を例に説明したが、例えば、画像読取部４００と、原稿給紙部５００とを基本構成としてスキャナやファクシミリ装置等を形成するようにしてもよい。
（第２の実施の形態）
図６は、本発明の第２の実施の形態に係るＣＣＤの内部の説明図である。また、本実施の形態では、ＣＣＤの内部に配設された遮光体の形状に特徴があるため、特にその部分について説明し、第１の実施の形態と同様の構成には同一番号を付して、その説明を省略する。
【００５５】
ブラインド遮光体２６は、図６に示すように、ＣＣＤ２１に対してレンズ２３側であって、レンズ２３からＣＣＤ２１へ向かう光路の上方および下方に配設されるようになっている。さらに、ブラインド遮光体２６は、レンズ２３から光電変換素子２４へ向かうに従って光路から離間する方向に傾斜した複数の遮光部材を有し、これら複数の遮光部材は、互いに間隔を設けて配設されるようになっている。
【００５６】
この構成により、レンズ２３を通らない迷光がＣＣＤ２１の内部に侵入した場合であっても、ＣＣＤ２１の内部で反射した迷光は、ブラインド遮光体２６を構成する遮光部材で最終的に遮られることにより光電変換素子２４に達することができない。このため、光ノイズによる影響を低減して良好な画像を得ることができる。
【００５７】
なお、ブラインド遮光体２６は、レンズを通らない迷光が光電変換素子２４に直接侵入するのを防止することができるよう、ＣＣＤ２１、レンズ２３、光電変換素子２４等の位置関係に基づいて位置決めされている。
（第３の実施の形態）
図７は、本発明の第３の実施の形態に係るＣＣＤの内部の説明図である。また、本実施の形態では、ＣＣＤの内部に配設された遮光体の形状に特徴があるため、特にその部分について説明し、第１の実施の形態と同様の構成には同一番号を付して、その説明を省略する。
【００５８】
蛇腹遮光体２７は、図７に示すように、ＣＣＤ２１に対してレンズ２３側であって、レンズ２３からＣＣＤ２１へ向かう光路の上方および下方に配設されるようになっている。さらに、蛇腹遮光体２７は、蛇腹状の形状を有するようになっている。
【００５９】
この構成により、レンズ２３を通らない迷光がＣＣＤ２１の内部に侵入した場合であっても、ＣＣＤ２１の内部で反射した迷光は、蛇腹遮光体２７によって遮光および反射されることにより光電変換素子２４に達することができない。このため、光ノイズによる影響を低減して良好な画像を得ることができる。
【００６０】
なお、蛇腹遮光体２７は、レンズを通らない迷光が光電変換素子２４に直接侵入するのを防止することができるよう、ＣＣＤ２１、レンズ２３、光電変換素子２４等の位置関係に基づいて位置決めされている。
（第４の実施の形態）
図８は、本発明に係る画像形成装置の第４の実施の形態におけるＣＣＤの内部の説明図である。また、本実施の形態では、ＣＣＤの内部に配設された遮光体の形状に特徴があるため、特にその部分について説明し、第１の実施の形態と同様の構成には同一番号を付して、その説明を省略する。
【００６１】
植毛遮光体２８は、図８に示すように、ＣＣＤ２１に対してレンズ２３側であって、レンズ２３からＣＣＤ２１へ向かう光路の上方および下方に配設されるようになっている。さらに、植毛遮光体２８は、植毛状の複数の遮光部材を有し、これら複数の遮光部材は、毛の先端が光路側を向くように配設されるようになっている。
【００６２】
この構成により、レンズ２３を通らない迷光がＣＣＤ２１の内部に侵入した場合であっても、ＣＣＤ２１の内部で反射した迷光は、蛇腹遮光体２７を構成する遮光部材によって遮光および反射されることにより光電変換素子２４に達することができない。このため、光ノイズによる影響を低減して良好な画像を得ることができる。
【００６３】
なお、植毛遮光体２８は、レンズを通らない迷光が光電変換素子２４に直接侵入するのを防止することができるよう、ＣＣＤ２１、レンズ２３、光電変換素子２４等の位置関係に基づいて位置決めされている。
【産業上の利用可能性】
【００６４】
以上のように、本発明に係る画像読取ユニットは、レンズを通らない迷光が、光電変換部の内部で反射して光電変換素子に侵入するのを防止するため、良好な画像を得ることができるという効果を有し、複写機、ファクシミリ、スキャナ等に適用され、コンタクトガラス上に載置された原稿を読み取る画像読取ユニット、これを搭載した画像読取装置および画像形成装置として有用である。
【図面の簡単な説明】
【００６５】
【図１】本発明の第１の実施形態に係る画像形成装置を示す図であり、画像形成装置としての複写機の概略構成図である。
【図２】本発明の第１の実施形態に係る画像読取部の主な構成要素を示す斜視図である。
【図３】（ａ）本発明の第１の実施形態に係る第２キャリッジ用の駆動ワイヤとプーリの関係を示す側面図である。  （ｂ）本発明の第１の実施形態に係る第２キャリッジ用の駆動ワイヤとプーリの関係を示す上面図である。
【図４】本発明の第１の実施形態に係る各プーリの位置関係を示す説明図である。
【図５】本発明の第１の実施形態に係るＣＣＤの内部の説明図である。
【図６】本発明の第２の実施形態に係るＣＣＤの内部の説明図である。
【図７】本発明の第３の実施形態に係るＣＣＤの内部の説明図である。
【図８】本発明の第４の実施形態に係るＣＣＤの内部の説明図である。
【図９】従来の画像形成装置におけるＣＣＤの内部の説明図である。
【図１０】従来の画像形成装置におけるＣＣＤの内部の説明図である。
【符号の説明】
【００６６】
２１  ＣＣＤ（光電変換部）
２２  カバーガラス
２３  レンズ
２４  光電変換素子
２５  傾斜遮光体（遮光手段）
２６  ブラインド遮光体（遮光手段）
２７  蛇腹遮光体（遮光手段）
２８  植毛遮光体（遮光手段）
１００  複写機（画像形成装置）
２００  画像形成部（画像形成手段）
３００  給紙部
４００  画像読取部（画像読取ユニット、画像読取装置）
５００  原稿給紙部（画像読取装置）
【図１】
2006303589.tif 000003
【図２】
2006303589.tif 000004
【図３】
2006303589.tif 000005
【図４】
2006303589.tif 000006
【図５】
2006303589.tif 000007
【図６】
2006303589.tif 000008
【図７】
2006303589.tif 000009
【図８】
2006303589.tif 000010
【図９】
2006303589.tif 000011
【図１０】
2006303589.tif 000012